(57)【要約】【課題】レンタル機材の名称が異なる場合であっても、レンタル機材の管理を行なうことが可能なレンタル機材管理装置を提供する。【解決手段】管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報とを含む機材マスタ情報を記憶する機材マスタ情報記憶部と、稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、を有する。【選択図】図１
2019128684.tif 000002
【特許請求の範囲】
【請求項１】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、
を有するレンタル機材管理装置。
【請求項２】
前記稼動情報記憶部は、前記レンタル機材のそれぞれに対して取付けられたＩＣタグを識別する識別情報を含んで記憶しており、
前記レンタル機材管理装置は、
前記レンタル機材に取付けられたＩＣタグから識別情報を読み出した端末装置から送信される識別情報を受信する受信部と、
前記稼動情報記憶部を参照し、前記受信した識別情報に対応する共通情報を特定し、特定された共通情報に対応する機材情報であって前記端末装置を利用する業者に対応する機材情報を前記機材マスタ情報記憶部から読み出し、当該機材情報とともに、稼動情報を前記端末装置に送信する第１送信部と
を有する請求項１に記載のレンタル機材管理装置。
【請求項３】
前記機材マスタ情報記憶部は、前記機材情報を割り当てした業者を識別する業者識別情報を当該機材情報とともに記憶しており、
前記レンタル機材管理装置は、
端末装置から前記参照要求と機材情報とを受信したことに応じて、前記取得部よって取得された稼動情報を、前記参照要求を行なった要求元の機材情報とともに稼動情報を前記端末装置に表示させるように送信する第２送信部
を有する請求項１または請求項２に記載のレンタル機材管理装置。
【請求項４】
前記レンタル機材の管理担当者が利用する管理端末から前記参照要求と識別情報とを受信したことに応じて、前記取得部よって取得された稼動情報を、前記共通情報と稼動情報とを前記管理端末に表示させるように送信する第３送信部
を有する請求項１から請求項３のうちいずれか１項に記載のレンタル機材管理装置。
【請求項５】
前記稼動情報記憶部は、前記レンタル機材のそれぞれに対する貸出料金を記憶しており、
前記レンタル機材管理装置は、
前記業者のいずれかに対してレンタル機材が貸出しされると、当該貸出しされたレンタル機材に対応する前記貸出料金に基づいて、前記貸出し先の業者に対して請求する金額を算出する請求金額算出部
を有する請求項１から請求項４のうちいずれか１項に記載のレンタル機材管理装置。
【請求項６】
前記管理対象エリアの外部において貸出可能なレンタル機材と当該レンタル機材が所在するエリアとを含むレンタル機材在庫情報を記憶する在庫情報記憶部を有し、
前記取得部は、
前記管理対象エリア外におけるレンタル機材の在庫状況の確認の要求と機材情報とが入力されると、前記機材マスタ情報記憶部を参照して、前記入力された機材情報に対応する共通情報を読み出し、読み出された共通情報に対応する機材情報であって前記レンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得し、
前記レンタル機材管理装置は、
前記取得したレンタル機材在庫情報を要求元に送信する第４送信部と、
を有する請求項１から請求項５のうちいずれか１項に記載のレンタル機材管理装置。
【請求項７】
前記ＩＣタグは、ＩＣタグの取付け対象であるレンタル機材の製造メーカにおいて当該レンタル機材に予め取付けられる
請求項２から請求項６のうちいずれか１項に記載のレンタル機材管理装置。
【請求項８】
管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報とを含む機材マスタ情報を記憶する機材マスタ情報記憶部と、を有するレンタル機材管理装置におけるレンタル機材管理方法であって、
取得部が、稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する
レンタル機材管理方法。
【請求項９】
コンピュータを、請求項１から請求項７のうちいずれか１項に記載のレンタル機材管理装置として動作させるためのプログラムであって、前記コンピュータを前記レンタル機材管理装置が備える各部として機能させるためのプログラム。
【発明の詳細な説明】
【技術分野】
【０００１】
本発明は、レンタル機材管理装置、レンタル機材管理方法、プログラムに関する。
【背景技術】
【０００２】
建設現場において、建設業者等の顧客は、レンタル業者やリース会社等の賃貸業者から、建設現場において利用される機械を借り、その機械を用いて現場における工事等を行なっている。このようなレンタル機材を管理するための管理装置も提案されている（例えば特許文献１参照）。
ここで、一方、建設現場においては、建設業者は、工事の一部を他の業者に委託する場合がある。そのため、１つの建設現場では、多数の業者が連携して工事を進めている。この場合、レンタルされた機械は、建設業者が、必要な業者に利用させ、その業者の利用が終了した場合には、同じ建設現場における別の業者に利用させる場合がある。
【先行技術文献】
【特許文献】
【０００３】
【特許文献１】特開２００７−０５８８０９号公報
【発明の概要】
【発明が解決しようとする課題】
【０００４】
しかしながら、あるレンタル機材を同じ現場内において複数の業者間で利用させる場合、どの業者が利用しているかについても管理する必要がある。この場合、建設現場において、レンタル機材の管理担当者が管理を担当する。ここで、レンタル機材は、地域や担当する業種によっては、同じレンタル機材であっても、名称が異なっていたり、正式名称とは別に通称が用いられることがある。そうすると、レンタル機材を管理するにあたり、建設現場におけるレンタル機材の管理担当者は、同じレンタル機材であっても、名称が異なっているために、別のレンタル機材として管理してしまう場合がある。また、レンタル機材の管理担当者からレンタル機材を借りるにあたり、業者は、自身が必要とするレンタル機材をレンタル機材のリスト等を参照して利用する場合、リストに記載された名称と自身が認識している名称とが一致しないため、必要なレンタル機材を見つけることができない場合がある。そうすると、レンタル機材の管理担当者は、業者からの問い合わせを受け、その問い合わせされた名称のレンタル機材がリストにあるか否かを確認する必要があり、レンタル機材の管理を円滑に行なうことができない問題がある。また、その場合、業者にとっても、レンタル機材の管理が円滑に行なわれた方が、借りる手続を簡単に行なうことができる点において好ましい。
【０００５】
本発明は、このような事情に鑑みてなされたもので、その目的は、業者によってレンタル機材の特定の仕方が異なる場合であっても、レンタル機材の管理を行なうことが可能なレンタル機材管理装置、レンタル機材管理方法、プログラムを提供することにある。
【課題を解決するための手段】
【０００６】
上述した課題を解決するために、本発明の一態様は、管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報とを含む機材マスタ情報を記憶する機材マスタ情報記憶部と、稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、を有する。
【０００７】
また、本発明の一態様は、管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報とを含む機材マスタ情報を記憶する機材マスタ情報記憶部と、を有するレンタル機材管理装置におけるレンタル機材管理方法であって、取得部が、稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得するレンタル機材管理方法である。
【０００８】
また、本発明の一態様は、コンピュータを、上述のレンタル機材管理装置として動作させるためのプログラムであって、前記コンピュータを前記レンタル機材管理装置が備える各部として機能させるためのプログラムである。
【発明の効果】
【０００９】
以上説明したように、この発明によれば、業者によってレンタル機材の特定の仕方が異なる場合であっても、レンタル機材の管理を行なうことが可能となる。
【図面の簡単な説明】
【００１０】
【図１】この発明の一実施形態によるレンタル機材管理装置を用いたレンタル機材管理システムの構成を示す概略ブロック図である。
【図２】稼動情報記憶部１０１に記憶される管理情報の一例を示す図である。
【図３】機材マスタ情報記憶部１０２に記憶される機材マスタ情報の一例を示す図である。
【図４】レンタル機材管理装置１０の動作を説明するフローチャートである。
【図５】在庫情報記憶部に記憶されるレンタル機材在庫情報の一例を示す図である。
【発明を実施するための形態】
【００１１】
以下、本発明の一実施形態によるレンタル機材管理装置を用いたレンタル機材管理システムについて図面を参照して説明する。
図１は、この発明の一実施形態によるレンタル機材管理装置を用いたレンタル機材管理システムの構成を示す概略ブロック図である。
レンタル機材管理システム１は、レンタル機材管理装置１０、端末装置２０、端末装置２１、管理端末２５、レンタル機材３０、ＩＣタグ３１、ネットワーク４０を含んで構成され、レンタル機材管理装置１０と、端末装置２０、端末装置２１とが、ネットワーク４０を介して通信可能に接続される。
【００１２】
レンタル機材管理装置１０は、ネットワーク４０を介して端末装置２０や端末装置２１と通信を行なう。
レンタル機材管理装置１０は、稼動情報記憶部１０１、機材マスタ情報記憶部１０２、取得部１０３、受信部１０４、送信部１０５、制御部１０６を含んで構成される。
稼動情報記憶部１０１は、管理対象エリアにおける管理対象であるレンタル機材のそれぞれの稼動状況を表す稼動情報とレンタル機材のそれぞれに割り当てられた共通情報とを記憶する。また、稼動情報記憶部１０１は、レンタル機材のそれぞれに対して取付けられたＩＣタグを識別する識別情報を共通情報毎に記憶する。
【００１３】
図２は、稼動情報記憶部１０１に記憶される管理情報の一例を示す図である。
管理情報は、共通情報、識別情報、稼動情報が対応付けされて記憶される。
共通情報は、レンタル業者からレンタル機材を借りて、工事現場において所在や使用者等の各種状況を管理する管理者によって定められた情報であり、工事現場において工事を行なう業者に対して使用させるにあたり、それら業者によらずに共通して利用する情報である。ここで、レンタル機材の名称や分類については、レンタル機材を製造したメーカや型番が同じレンタル機材であっても、レンタル業者が異なると、レンタル機材が独自の名称を付してレンタルの管理をする場合があり、必ずしも統一されていない。また、レンタル機材については、工事現場において工事を担当する工事業者が独自に付す場合もある。そのため、製造メーカや型番が同じレンタル機材であっても、レンタル業者や工事業者によっては名称が異なる。また、レンタル機材は、機能や寸法等を元に分類して管理することも行なわれるが、その分類の仕方が、レンタル業者、工事業者において異なる場合がある。そのため、本実施形態においては、レンタル機材を製造したメーカや型番が同じレンタル機材については、レンタル業者や工事業者によらずに共通する共通情報を付して、レンタル機材の管理を行なう。ここでは、製造メーカや型番が異なっていても、レンタル機材として機能、使用方法、寸法、規格、定格等が略同一であり、各工事業者において管理上問題がなければ、同じ共通情報を設定することも可能である。
【００１４】
共通情報は、共通名称、大分類、中分類、小分類、細分類、貸出料金の情報が含まれる。
共通名称は、レンタル機材の名称である。例えば、レンタル機材の名称としては、「高車６ｍテーブルクローラ」、「高車４ｍ旋回テーブルクローラ」等がある。
大分類、中分類、小分類、細分類は、レンタル機材を分類する情報である。例えば、大分類を更に分類した情報が中分類であり、中分類を更に分類した情報が小分類であり、小分類を更に分類した情報が細分類である。但し、これ以外のルールに沿って分類して大分類、中分類、小分類、細分類を設定するようにしてもよいし、大分類、中分類、小分類、細分類の４段階に分類する場合について説明するが、３段階以下であっても５段階以上であってもよい。
例えば、「高車６ｍテーブルクローラ」には、大分類として「高所作業車」、中分類として「６ｍ」、小分類として「テーブル」、細分類として「クローラ」が設定されている。
貸出料金は、現場においてレンタル機材を管理する管理者から現場における業者に貸し出す際の料金を表す。この料金は、貸し出す時間（例えば１日）あたりの料金、貸出しの１回あたりの料金等であってもよい。
【００１５】
識別情報は、レンタル機材を個別に識別する情報であり、ここでは、ＩＣタグ３１に記憶された識別情報が用いられる。レンタル機材のそれぞれには、ＩＣタグ３１が設けられることから、ＩＣタグ３１の識別情報を用いることで、レンタル機材を個別に識別することができる。
【００１６】
稼動情報は、工事現場におけるレンタル機材の稼動状況を表す情報である。稼動情報には、例えば、ステータス、使用場所、貸出先、使用予定期間、レンタル期間、製造メーカ、出荷日、レンタル業者購入日の項目を含んで構成される。
ステータスは、レンタル機材が工事現場における使用状況を表す情報であり、例えば、管理者から工事業者に対してレンタル機材を使用させた際の状況を表しており、使用予定期間を過ぎても管理者に返却されていない状況を表す「超過」、レンタル機材が管理者の元にあり、使用させること可能な状態を表す「貸出可」、工事業者に貸し出しされており使用予定期間中であることを表す「貸出中」、整備中であることを表す「整備」等がある。
【００１７】
使用場所は、貸し出し先の工事業者が使用している場所を表す。例えば、工事現場が多層の建築物である場合には使用されているフロア、特定のフロアを複数エリアに分割した場合において使用されているエリアを表す情報を使用場所として用いることができる。
貸し出し先は、貸し出し先を特定する情報であり、貸し出し先の工事業者の名称や工事業者の担当者名等を用いることができる。
使用予定期間は、管理者から工事業者に対してレンタル機材を貸し出す予定の期間を表す。
レンタル期間は、レンタル業者から管理者が借りている期間を表す。
製造メーカは、レンタル機材を製造したメーカ名である。
出荷日は、製造メーカが出荷した日を示す。
レンタル業者購入日は、製造メーカから出荷されたレンタル機材をレンタル業者が購入した日である。
【００１８】
図１に戻り説明をする。
機材マスタ情報記憶部１０２は、共通情報と業者がレンタル機材のそれぞれに割り当てた現場内機材情報と機材情報を割り当てした業者を識別する業者識別情報とを含む機材マスタ情報を記憶する。
図３は、機材マスタ情報記憶部１０２に記憶される機材マスタ情報の一例を示す図である。
機材マスタ情報は、共通情報、現場内機材情報、レンタル業者機材情報、業者識別情報が対応付けられた情報である。共通情報と現場内機材情報との対応付けは、共通情報と現場内機材情報との関係を認識している者が行なうことができ、例えば、管理者である。ここでは、レンタル業者や工事業者の中で、共通情報と現場内機材情報との関係を認識している担当者がいれば、その担当者が行なうことができる。この対応付けは、管理者がレンタル機材をレンタル業者が借りた段階で行ってもよいし、レンタル機材が工事現場に搬入され、工事業者に貸し出しを行なう段階で行なうようにしてもよい。
【００１９】
共通情報は、図２における共通情報と同じである。
現場内機材情報は、業者がレンタル機材のそれぞれに割り当てた情報である。現場内機材情報は、レンタル業者、工事業者等が任意に決めることができる。現場内機材情報は、現場内名称、大分類、中分類、小分類、細分類を含む情報である。この現場内機材情報は、業者が認識しやすい情報であればよく、業者は、共通情報における名称、大分類、中分類、小分類、細分類とは別に業者独自の情報を設定することもできるし、共通情報の名称、大分類、中分類、小分類、細分類のうち少なくともいずれかの項目を同じにして設定することもできる。
現場内名称は、レンタル業者や工事業者が独自に付した名称を利用することができる。この現場内名称は、共通名称と同じ名称を利用することもできる。この図においては、共通名称が「高車６ｍテーブルクローラ」であるのに対し、現場内機材情報の現場内名称が「屋内用高車６ｍクローラ一式」であり、名称が共通名称と現場内名称とで異なるが、対応付けされていることで対応関係が把握できるようになっている。
大分類、中分類、小分類、細分類は、レンタル業者や工事業者が独自に付すことができ、共通情報の大分類、中分類、小分類、細分類とは異なる階層であってもよい。例えば、共通情報において、大分類、中分類、小分類、細分類が設定されている場合において、現場内機材情報において、大分類、中分類、小分類のみ設定してもよいし、中分類、細分類のみ利用するようにしてもよい。また、大分類、中分類、小分類、細分類は、同じ分類を用いることもできる。この図においては、共通情報において大分類が「高所作業車」、中分類が「６ｍ」、小分類が「テーブル」、細分類が「クローラ」であるのに対し、現場内機材情報における大分類が「○○式クローラ」、中分類が「４Ｍ」であり、小分類と細分類については「なし」であり、設定されていない。このように共通情報における分類と現場内機材情報における分類とが対応づけされていることで、レンタル業者あるいは工事業者は、自身が認識可能な分類に基づいて、レンタル機材３０を検索することができる。
【００２０】
レンタル業者機材情報は、レンタル業者がレンタル機材のそれぞれに割り当てた情報である。レンタル業者機材情報は、レンタル業者が現場においてレンタル機材を管理する管理者にレンタル機材を貸し出す際に利用可能な情報であり、レンタル業者が任意に決めることができる。レンタル業者機材情報は、現場内名称、大分類、中分類、小分類、細分類を含む情報であり、現場内機材情報と同様の項目を含む。ここでは、現場内機材情報とレンタル業者機材情報とが別である場合に図示しているが、機材情報として１つに纏めるようにしてもよい。
なお、このレンタル業者機材情報は、レンタル業者が認識しやすい情報であればよく、レンタル業者は、共通情報における名称、大分類、中分類、小分類、細分類とは別にレンタル業者独自の情報を設定することもできるし、共通情報の名称、大分類、中分類、小分類、細分類のうち少なくともいずれかの項目を同じにして設定することもできる。
業者識別情報は、機材情報を割り当てした業者を識別する識別情報である。同じ共通情報であっても、現場内機材情報が業者によって異なる場合には、業者毎に現場内機材情報と業者識別情報が対応付けされたレコードが生成される。この業者識別情報は、業者が端末装置２０を利用する場合に、その利用する業者を識別する情報としても利用することができる。
【００２１】
図１に戻り、取得部１０３は、稼動情報の参照要求と機材情報とが入力されると、機材マスタ情報記憶部１０２を参照して、入力された機材情報に対応する共通情報を読み出し、読み出された共通情報に対応する稼動情報を稼動情報記憶部１０１から取得する。この参照要求は、レンタル機材３０の貸出し手続、ステータス確認、返却手続等に伴った何らかの要求であってもよい。
受信部１０４は、レンタル機材に取付けられたＩＣタグから識別情報を読み出した端末装置から送信される識別情報を受信する。また、受信部１０４は、端末装置２０、端末装置２１から送信される各種情報を受信する。
【００２２】
第１送信部１０５１は、稼動情報記憶部１０１を参照し、受信した識別情報に対応する共通情報を特定し、特定された共通情報に対応する機材情報であって端末装置２０、端末装置２１を利用する業者に対応する機材情報を機材マスタ情報記憶部１０２から読み出し、当該機材情報とともに、稼動情報を端末装置２０、端末装置２１に送信する。
第２送信部１０５２は、端末装置２０、端末装置２１から参照要求と機材情報とを受信したことに応じて、取得部１０３よって取得された稼動情報を、参照要求元の機材情報とともに稼動情報を端末装置２０、端末装置２１に表示させるように送信する。
第３送信部１０５３は、レンタル機材の管理担当者が利用する管理端末から参照要求と識別情報とを受信したことに応じて、取得部１０３よって取得された稼動情報を、共通情報と稼動情報とを端末装置２０、端末装置２１に表示させるように送信する。
【００２３】
制御部１０６は、レンタル機材管理装置１０内の各部を制御する。また、制御部１０６は、端末装置２０、端末装置２１から送信される各種要求を受信部１０４を介して受信し、その各種要求に応じた処理を実行し、その実行結果を要求元の端末装置に送信部１０５を介して送信する。また、制御部１０６は、業者のいずれかに対してレンタル機材が貸出しされると、当該貸出しされたレンタル機材に対応する貸出料金に基づいて、貸出し先の業者に対して請求する金額を算出する請求金額算出機能を有する。
【００２４】
端末装置２０、端末装置２１は、レンタル機材３０を貸し出すレンタル業者、工事現場においてレンタル機材を管理する管理者、工事現場において工事を担当する業者にそれぞれ携帯される。この端末装置２０は、ＩＣ通信部２０１を有する。ＩＣ通信部２０１は、端末装置２０の利用者によってＩＣタグ３１と通信可能な距離の範囲内に近づけられると、そのＩＣタグ３１と無線によって通信を行ない、ＩＣタグ３１に記憶された識別情報を読み出す。読み出された識別情報は、端末装置２０からレンタル機材管理装置１０に送信可能である。
端末装置２０は、タッチパネルが設けられており、各種情報を表示することができ、また、端末装置２０の利用者の操作入力を受付けることができる。
端末装置２１は、端末装置２０と同様の機能を有する。この図において、端末装置は端末装置２０と端末装置２１の２つが図示されているが、レンタル機材管理システムにおいて、３つ以上用いられるようにしてもよい。
【００２５】
管理端末２５は、レンタル業者から借りたレンタル機材を工事現場において、レンタル機材を使用する使用者とレンタル機材の所在地とを管理する管理者によって利用される端末装置である。この管理者は、工事現場における建設業者であったり、この建設業者から委託を受けた管理業者であってもよい。
管理端末２５は、管理者からの操作入力を受付け、その操作内容に基づいて、稼動情報記憶部１０１に記憶された情報の参照や更新を行なうことができ、また、機材マスタ情報記憶部１０２に記憶された情報の参照や更新を行なうことができる。
また、管理端末２５は、ＩＣ通信部２５１を有している。ＩＣ通信部２５１は、所定の距離内に近接されたＩＣタグ３１から識別情報を読み出す。読み出された識別情報は、管理端末２５がレンタル機材管理装置１０に送信可能である。
この管理端末２５は、スマートフォン、タブレット等を用いることができる。
【００２６】
レンタル機材３０は、工事現場において利用される建設機械、機器、機材等であり、レンタル業者によって、工事現場においてレンタル機材を管理する管理者に対して貸し出される。このレンタル機材３０は、この図において１つのみ示されているが、複数存在する。このレンタル機材３０は、例えば、高所作業車、発電機等がある。
【００２７】
ＩＣタグ３１は、自身を識別する識別情報が予め記憶されている。このＩＣタグ３１は、レンタル機材３０のそれぞれに１つずつ取付けられる。取付け方は任意であるが、例えば、粘着材で取付けられたり、鎖状の連結具によってレンタル機材３０に対して連結されることで取付けられる。このＩＣタグは、レンタル機材が製造メーカから出荷された後にレンタル業者やレンタル機材の管理者によって取付けられてもよいし、製造メーカがレンタル機材を出荷する前に予め取付けてもよい。製造メーカがＩＣタグをレンタル機材に取付ける場合には、レンタル機材の銘板そのものあるいは銘板とレンタル機材の筐体との間に取付けるようにしてもよい。製造メーカにおいてレンタル機材にＩＣタグが予め取付けられる場合には、製造メーカにおいて、共通情報の割り当を行なって設定（書き込み）するようにしてもよい。
【００２８】
ネットワーク４０は、インターネットやＬＡＮ（ローカルエリアネットワーク）等で構成される。このネットワーク４０は、一部が無線であってよい。
【００２９】
次に、図４のフローチャートを用いてレンタル機材管理装置１０の動作を説明する。
ここでは、工事業者がレンタル機材を借りるための手続を端末装置２０から行なう場合について説明する。
工事業者は、レンタル機材を管理者から借りるにあたり、端末装置２０のタッチパネルから検索の機能のメニューをタッチすることで、検索要求を入力する。
レンタル機材管理装置１０は、端末装置２０から検索要求を受信すると（ステップＳ１０１）、現場内名称を利用した検索であるか否かを判定する（ステップＳ１０２）。例えば、端末装置２０から検索要求を受信したのち、現場内名称を利用した検索を行なうメニューが工事業者によって選択され端末装置２０から入力されると、制御部１０６は、現場内名称を利用した検索であると判定する（ステップＳ１０２−ＹＥＳ）。そして制御部１０６は、端末装置２０から入力される現場内名称に基づいて検索を行なう（ステップＳ１０３）。例えば、端末装置２０においては、現場内名称の一部（先頭文字列の一部、文字列の末尾の一部、文字列の中間の一部など）または全部をテキスト入力する。制御部１０６は、端末装置２０において入力される現場内名称に基づいて、機材マスタ情報記憶部１０２を参照し、現場内機材情報に含まれる現場内名称を検索し、一致する現場内名称を得る。そして制御部１０６は、機材マスタ情報記憶部１０２を参照して、得られた現場内名称に対応する共通名称を読み出す（ステップＳ１０４）。ここでは、対応する共通情報の全部を読み出してもよい。
【００３０】
共通名称が得られると、制御部１０６は、得られた共通名称に対応する稼動情報を稼動情報記憶部１０１から読み出し（ステップＳ１０５）、読み出した稼動情報を要求元の端末装置２０に送信部１０５を介して送信する（ステップＳ１０６）。ここで、工事現場においては、同一の共通名称のレンタル機材が複数台レンタルされている場合もある。その場合、制御部１０６は、共通名称に対応する稼動情報のそれぞれを端末装置２０に送信してもよいし、ステータスが「貸出し可」の稼動情報のみ送信してもよい。稼動情報が端末装置２０に送信されると、端末装置２０のタッチパネルの表示画面には、稼動情報が、検索で利用された現場内名称とともに表示される。この現場内名称は、レンタル機材管理装置１０から稼動情報が送信される際に、その稼動情報を検索する元になった共通情報に対応する機材マスタ情報記憶部１０２から読み出して制御部１０６によって送信部１０５から送信されることで、稼動情報とともに端末装置２０の画面上に表示されてもよい。また、現場内名称は、レンタル機材管理装置１０から稼動情報が送信される際に、その稼動情報を検索する元になった現場内名称を表示させる指示を、制御部１０６が送信部１０５によって送信することで、端末装置２０がその指示を受け、稼動情報とともに端末装置２０の画面上に表示させるようにしてもよい。
【００３１】
端末装置２０において、表示された稼動情報のうち、ステータスが「貸出し可」である現場内名称がタッチ入力されるとともに、使用予定期間と貸出し要求がタッチ入力されると、制御部１０６は、入力された現場内名称に対応する共通名称であって、ステップＳ１０６において送信した稼動情報の送信対象となった共通名称の稼動情報について、ステータスを「貸出し中」に更新するとともに、使用予定期間を、端末装置２０から送信された使用予定期間に更新する（ステップＳ１０８）。ここで、端末装置２０には、端末装置２０を利用する工事業者に対応した業者識別情報が予め割り当てられてあり、貸し出し要求の送信元の端末装置２０の業者識別情報を利用して、貸し出し先の工事業者を特定する。ここでは、端末装置２０に割り当てられた端末識別情報と業者識別情報との対応関係をレンタル機材管理装置１０の記憶領域に記憶しておき、これを元に、端末装置２０を利用する工事業者を特定するようにしてもよい。そして、制御部１０６は、特定した工事業者の業者識別情報を稼動情報の「貸出先」に記憶する。
ここで、使用予定期間における使用開始日が、貸出し要求があった日よりも後の日である場合には、ステータスを「貸出し予約中」になるように更新してもよい。
そして制御部１０６は、貸出し手続が正常に終了したことを表す「貸出し手続終了」の情報を端末装置２０に送信する（ステップＳ１０９）。これにより、端末装置２０の表示画面には、「貸出し予約が完了しました」とのメッセージとともに、検索で利用された現場内名称とともに表示される。
【００３２】
一方、ステップＳ１０２において、現場内名称を利用した検索ではない場合（ステップＳ１０２−ＮＯ）、分類を利用した検索であるか否かを判定する（ステップＳ１１０）。例えば、端末装置２０から検索要求を受信したのち、分類を利用した検索を行なうメニューが工事業者によって選択され端末装置２０から入力されると、制御部１０６は、分類を利用した検索であると判定する（ステップＳ１１０−ＹＥＳ）。
【００３３】
そして制御部１０６は、端末装置２０から入力される分類に基づいて検索を行なう（ステップＳ１０３）。例えば、端末装置２０がレンタル機材管理装置１０に対してＷｅｂ上でアクセスしている場合には、制御部１０６は、Ｗｅｂ上の画面において、要求元の工事業者に対応する業者識別情報に基づいて、その業者識別情報に対応する現場内機材情報に含まれる大分類、中分類、小分類、細分類毎にプルダウンメニュー等で端末装置２０の表示画面上に選択可能に表示させ、選択された分類を取得するようにしてもよい。また、端末装置２０内に現場内機材情報が記憶されている場合には、記憶された現場内機材情報の各部分類から選択された情報を端末装置２０から受信するようにしてもよい。
制御部１０６は、端末装置２０において入力された分類（大分類、中分類、小分類、細分類の組み合わせ）に基づいて、機材マスタ情報記憶部１０２を参照し、現場内機材情報に含まれる分類に対応する共通情報の分類（大分類、中分類、小分類、細分類の組み合わせ）を検索し（ステップＳ１１１）、特定する（ステップＳ１１２）。そして、制御部１０６は、特定された共通情報の分類（大分類、中分類、小分類、細分類の組み合わせ）に対応する稼動情報を稼動情報記憶部１０１から読み出して、要求元の端末装置２０に送信する（ステップＳ１１３）。そして、ステップＳ１０７以降と同様の処理が行なわれる。
【００３４】
一方、分類を利用した検索ではない場合（ステップＳ１１０−ＮＯ）、制御部１０６は、識別情報を利用した検索であると判定し、識別情報を利用した検索を行なう（ステップＳ１２０）。ここでは、工事業者は、工事現場において使用したいレンタル機材３０が非稼動状態にある場合には、そのレンタル機材３０に取付けられたＩＣタグ３１に端末装置２０を近づけることで、そのＩＣタグ３１が取付けられたレンタル機材３０の稼動情報を確認し、ステータスによっては、貸出し要求をすることができる。この場合、現場内名称や分類を用いることなく、稼動情報を参照することができる。
【００３５】
制御部１０６は、端末装置２０によってＩＣタグ３１から読み取られた識別情報を受信すると、受信した識別情報に基づく検索を行なう。制御部１０６は、受信した識別情報に対応する稼動情報を稼動情報記憶部１０１を参照することで読み出し、読み出した稼動情報を要求元の端末装置２０に送信する（ステップＳ１２１）。
ここでは、制御部１０６は、受信した識別情報に対応する共通情報を、稼動情報記憶部１０１を参照して読み出し、読み出した共通情報に対応する機材情報であって、要求元の端末装置２０の業者識別情報に対応する機材情報を機材マスタ情報記憶部１０２から読み出し、稼動情報とともに、読み出した機材情報（例えば、現場内名称）を端末装置２０に送信する。ここでは、稼動情報とともに機材情報を送信することで、現場業者は、端末装置２０に表示される機材情報を確認することができ、これにより、自分が端末装置２０を近づけたＩＣタグ３１が取付けられたレンタル機材３０が何であるか、名称や分類等を確認することができ、その確認をした上で、貸出し等の手続を行なうことができる。ここでは、画面上には、工事業者に対応する現場内名称が表示されるため、工事業者が認識できる名称を表示することができる。そしてステップＳ１０７以降と同様の処理が行なわれる。
【００３６】
また、上述した実施形態において、端末装置２０からの参照要求に応じて、レンタル機材管理装置１０から稼動情報や現場内機材情報を送信する場合について説明したが、管理端末２５が、レンタル機材の管理担当者からの操作入力を受付け、参照要求と識別情報とを受信したことに応じて、取得部１０３よって取得された稼動情報を、共通情報とともに管理端末２５に送信し、管理端末２５の画面上に表示させるようにしてもよい。これにより、管理者は、共通情報を元にレンタル機材を管理することができる。ここで、識別情報の入力は、レンタル機材３０に取付けられたＩＣタグ３１の識別情報を管理端末２５に設けられたＩＣ通信部によって読み出すことで取得してもよい。例えば、管理者は、管理端末２５を携帯して工事現場に出向き、休止、留置、休車等の状態で置かれているレンタル機材３０のＩＣタグ３１を読み取ることで、そのレンタル機材３０がどのような稼動状況であるかについて共通情報を元に確認することができる。
【００３７】
また、管理者は、管理端末２５を利用し、共通情報に含まれる分類を用いて、レンタル機材３０を検索することもできる。
【００３８】
また、上述した実施形態において、レンタル機材管理装置１０の制御部１０６は、業者に対してレンタル機材の貸出しを行ない、所定の請求期日が到来すると、貸出し先の業者に対する請求額を算出する。制御部１０６は、業者のいずれかに対してレンタル機材が貸出しされると、当該貸出しされたレンタル機材に対応する貸出料金を、稼動情報記憶部１０１または機材マスタ情報記憶部１０２の共通情報に含まれる貸出料金を読み出し、読み出した貸出し料金に基づいて、前記貸出し先の業者に対して請求金額を算出する。例えば、稼動情報における使用予定期間に基づいて実際に使用された期間を割り出し、貸出料金に使用期間を乗ずることで請求金額を算出する。そして算出された金額に基づいて、レンタル機材の管理者から業者に対して請求が行なわれる。
ここで、上述した実施形態においては、貸出料金は統一の料金である場合について図示されているが、現場の業者毎に異なる貸出料金が設定されていてもよい。これにより、貸出し頻度が高い業者に対して通常よりも安い割引料金を適用することも可能となる。
【００３９】
また、上述した実施形態において、現場内において存在するレンタル機材の稼動状況を端末装置２０あるいは管理端末２５によって参照することができる場合について説明したが、現場内においてレンタル機材を管理する管理者に対してレンタル機材を貸し出すレンタル業者の在庫を、端末装置２０あるいは管理端末２５から参照するようにしてもよい。
図５は、在庫情報記憶部に記憶されるレンタル機材在庫情報の一例を示す図である。
在庫情報記憶部は、レンタル機材の貸出しを行なうレンタル業者の端末装置あるいは当該業者の在庫管理サーバに設けられ、管理対象エリアの外部において貸出可能なレンタル機材と当該レンタル機材が所在するエリアとを含むレンタル機材在庫情報を記憶する。
レンタル機材在庫情報には、レンタル機材の情報としての名称、大分類、中分類、小分類、細分類、貸出料金、数量の項目と、エリアの情報としての所在の項目を含む。名称、大分類、中分類、小分類、細分類、貸出料金の項目は、上述した情報と同様であるが、レンタル業者によって設定される。数量の項目は、レンタル機材の貸出し可能な残りの数量であり、レンタル機材が貸出しされた場合や、レンタル機材が返却された場合に、レンタル業者の端末装置等によって更新される。
所在は、貸し出し可能なレンタル機材が保管されているエリアであり、貸出しを行なう場合には、このエリアから現場に搬送される。
【００４０】
取得部１０３は、管理対象エリア外におけるレンタル機材の在庫状況の確認の要求と機材情報とが入力されると、機材マスタ情報記憶部１０２を参照して、入力された機材情報に対応する共通情報を読み出し、読み出された共通情報に対応する機材情報であってレンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得する。送信部１０５は、取得したレンタル機材在庫情報を要求元の端末装置２０（あるいは要求元の管理装置２５）に送信する。
これにより、工事現場の業者やレンタル機材の管理者は、現場内において所望のレンタル機材がない場合であっても、レンタル業者からレンタル機材を借りられる可能性があるか否かを、レンタル業者の貸出し可能な在庫を確認することで、検討することができる。ここでは、レンタル業者の在庫の所在も把握することができることから、自身の現場の近くに存在するレンタル機材を選択して借りることもでき、また、遠方であってもどの程度の搬送期間があれば借りられるかを検討の上、貸出し要求をすることも可能である。
そして、工事現場の業者またはレンタル機材の管理者は、レンタル業者の在庫から借りたい場合には、自身が設定した現場内機材情報の分類等を手がかりに対象のレンタル機材を検索し、端末装置２０または管理端末２５から貸出し要求を入力することで、現場外にあるレンタル機材であっても貸出しを受けることができる。ここで、業者がレンタル業者の在庫から借りたい場合には、業者からレンタル機材の管理者に対して貸出し要求をした上で、レンタル機材の管理者が、レンタル業者に対して貸出し要求を行なう方が、レンタル機材を現場において管理する管理のし易さの観点から好ましい。
また、管理端末２５からレンタル機材在庫情報を参照する場合には、貸出料金が読み出されて管理端末２５の画面上に表示されるようにしてもよい。これにより、レンタル機材の管理者は、料金を確認した上でレンタル機材を借りることができる。
また、上述した実施形態において、在庫情報記憶部は、レンタル業者が複数ある場合には、レンタル業者毎に設けられるようにしてもよい。
【００４１】
以上説明した実施形態によれば、業者が認識可能な名称または分類と、業者によらず共通して用いることが可能な名称または分類と対応づけて管理するようにした。
ここで、これらの名称や分類は、業者が異なる場合、その業者によっては別の名称や分類となっている場合がある。また、同じ業者であっても、現場の地域が異なる場合には、その地域によっては、名称や分類が異なる場合がある。すなわち、同じ業者であっても、東北エリアの工事現場を担当する部署に所属する作業者と、関西エリアの工事現場を担当する部署に所属する作業者との間において、名称や分類が異なる場合がある。
【００４２】
そうすると、同じレンタル機材について、画一的な名称や分類のみを用いて管理をしようとしても、業者や、担当エリアによっては、その名称や分類とレンタル機材との対応関係を認識できない場合がある。その場合、自身が所望するレンタル機材がリストに掲載されているにも係わらず、自身が認識している名称とは異なるために、所望するレンタル機材がリストにない、と認識してしまう場合がある。また、自身が所望するレンタル機材がリストに掲載されているにも係わらず、そのレンタル機材に割り当てられた分類が、自身が認識している分類とは異なるために、所望するレンタル機材を分類に基づいてリストから検索しても見つからない場合がある。
このような場合であっても、上述した実施形態によれば、現場業者は、レンタル業者が付した名称や分類を認識していなくても、自身が認識可能な名称や分類を用いて稼動情報を検索することができる。
これにより、現場業者は、円滑に稼動情報を得ることができる。管理者は、現場業者から名称や分類に関する問い合わせを受けることなくレンタル機材の管理をすることができ、円滑に管理をすることができる。レンタル業者は、自身がレンタルの対象として提供するレンタル機材について、現場での呼称や名称等を考慮しなくてもレンタルを行なうことができる。
【００４３】
上述した実施形態におけるレンタル機材管理装置１０の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４４】
以上、この発明の実施形態について図面を参照して詳述してきたが、具体的な構成はこの実施形態に限られるものではなく、この発明の要旨を逸脱しない範囲の設計等も含まれる。
【符号の説明】
【００４５】
１…レンタル機材管理システム、１０…レンタル機材管理装置、２０，２１…端末装置
２５…管理端末、３０…レンタル機材、３１…ＩＣタグ３１、２０１、２５１…ＩＣ通信部、１０１…稼動情報記憶部、１０２…機材マスタ情報記憶部、１０３…取得部、１０４…受信部、１０５…送信部、１０６…制御部、１０５１…第１送信部、１０５２…第２送信部、１０５３…第３送信部
【図１】
2019128684.tif 000003
【図２】
2019128684.tif 000004
【図３】
2019128684.tif 000005
【図４】
2019128684.tif 000006
【図５】
2019128684.tif 000007
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報であって当該業者によって異なる情報である機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を前記参照要求元の業者に対応する機材情報を参照して読み出し、読み出された共通情報に対応する稼動情報を前記稼動情報記憶部から取得する取得部と、
を有するレンタル機材管理装置。
【請求項２】
前記稼動情報記憶部は、前記レンタル機材のそれぞれに対して取付けられたＩＣタグを識別する識別情報を含んで記憶しており、
前記レンタル機材管理装置は、
前記レンタル機材に取付けられたＩＣタグから識別情報を読み出した端末装置から送信される識別情報を受信する受信部と、
前記稼動情報記憶部を参照し、前記受信した識別情報に対応する共通情報を特定し、特定された共通情報に対応する機材情報であって前記端末装置を利用する業者に対応する機材情報を前記機材マスタ情報記憶部から読み出し、当該機材情報とともに、稼動情報を前記端末装置に送信する第１送信部と
を有する請求項１に記載のレンタル機材管理装置。
【請求項３】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、を有し、
前記稼動情報記憶部は、前記レンタル機材のそれぞれに対して取付けられたＩＣタグを識別する識別情報を含んで記憶しており、
前記レンタル機材管理装置は、
前記レンタル機材に取付けられたＩＣタグから識別情報を読み出した端末装置から送信される識別情報を受信する受信部と、
前記稼動情報記憶部を参照し、前記受信した識別情報に対応する共通情報を特定し、特定された共通情報に対応する機材情報であって前記端末装置を利用する業者に対応する機材情報を前記機材マスタ情報記憶部から読み出し、当該機材情報とともに、稼動情報を前記端末装置に送信する第１送信部と
を有するレンタル機材管理装置。
【請求項４】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、
前記管理対象エリアの外部において貸出可能なレンタル機材と当該レンタル機材が所在するエリアとを含むレンタル機材在庫情報を記憶する在庫情報記憶部とを有し、
前記取得部は、
前記管理対象エリア外におけるレンタル機材の在庫状況の確認の要求と機材情報とが入力されると、前記機材マスタ情報記憶部を参照して、前記入力された機材情報に対応する共通情報を読み出し、読み出された共通情報に対応する機材情報であって前記レンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得し、
前記レンタル機材管理装置は、
前記取得したレンタル機材在庫情報を要求元に送信する第４送信部と、
を有するレンタル機材管理装置。
【請求項５】
前記機材マスタ情報記憶部は、前記機材情報を割り当てした業者を識別する業者識別情報を当該機材情報とともに記憶しており、
前記レンタル機材管理装置は、
端末装置から前記参照要求と機材情報とを受信したことに応じて、前記取得部よって取得された稼動情報を、前記参照要求を行なった要求元の機材情報とともに稼動情報を前記端末装置に表示させるように送信する第２送信部
を有する請求項１から請求項４のうちいずれか１項に記載のレンタル機材管理装置。
【請求項６】
前記レンタル機材の管理担当者が利用する管理端末から前記参照要求と識別情報とを受信したことに応じて、前記取得部よって取得された稼動情報を、前記共通情報と稼動情報とを前記管理端末に表示させるように送信する第３送信部
を有する請求項１から請求項５のうちいずれか１項に記載のレンタル機材管理装置。
【請求項７】
前記稼動情報記憶部は、前記レンタル機材のそれぞれに対する貸出料金を記憶しており、
前記レンタル機材管理装置は、
前記業者のいずれかに対してレンタル機材が貸出しされると、当該貸出しされたレンタル機材に対応する前記貸出料金に基づいて、前記貸出し先の業者に対して請求する金額を算出する請求金額算出部
を有する請求項１から請求項６のうちいずれか１項に記載のレンタル機材管理装置。
【請求項８】
前記管理対象エリアの外部において貸出可能なレンタル機材と当該レンタル機材が所在するエリアとを含むレンタル機材在庫情報を記憶する在庫情報記憶部を有し、
前記取得部は、
前記管理対象エリア外におけるレンタル機材の在庫状況の確認の要求と機材情報とが入力されると、前記機材マスタ情報記憶部を参照して、前記入力された機材情報に対応する共通情報を読み出し、読み出された共通情報に対応する機材情報であって前記レンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得し、
前記レンタル機材管理装置は、
前記取得したレンタル機材在庫情報を要求元に送信する第４送信部と、
を有する請求項１から請求項３、請求項５から請求項７のうちいずれか１項に記載のレンタル機材管理装置。
【請求項９】
前記ＩＣタグは、ＩＣタグの取付け対象であるレンタル機材の製造メーカにおいて当該レンタル機材に予め取付けられる
請求項２から請求項８のうちいずれか１項に記載のレンタル機材管理装置。
【請求項１０】
管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報であって当該業者によって異なる情報である機材情報とを含む機材マスタ情報を記憶する機材マスタ情報記憶部と、を有するレンタル機材管理装置におけるレンタル機材管理方法であって、
取得部が、稼動情報の参照要求と機材情報とが入力されると、前記機材マスタ情報記憶部を参照して、前記入力された機材情報に対応する共通情報を前記参照要求元の業者に対応する機材情報を参照して読み出し、読み出された共通情報に対応する稼動情報を前記稼動情報記憶部から取得する
レンタル機材管理方法。
【請求項１１】
コンピュータを、請求項１から請求項９のうちいずれか１項に記載のレンタル機材管理装置として動作させるためのプログラムであって、前記コンピュータを前記レンタル機材管理装置が備える各部として機能させるためのプログラム。
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報であって当該業者によって異なる情報である機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を前記参照要求元の業者に対応する機材情報を参照して読み出し、読み出された共通情報に対応する稼動情報を前記稼動情報記憶部から取得する取得部と、
を有するレンタル機材管理装置。
【請求項２】
前記稼動情報記憶部は、前記レンタル機材のそれぞれに対して取付けられたＩＣタグを識別する識別情報を含んで記憶しており、
前記レンタル機材管理装置は、
前記レンタル機材に取付けられたＩＣタグから識別情報を読み出した端末装置から送信される識別情報を受信する受信部と、
前記稼動情報記憶部を参照し、前記受信した識別情報に対応する共通情報を特定し、特定された共通情報に対応する機材情報であって前記端末装置を利用する業者に対応する機材情報を前記機材マスタ情報記憶部から読み出し、当該機材情報とともに、稼動情報を前記端末装置に送信する第１送信部と
を有する請求項１に記載のレンタル機材管理装置。
【請求項３】
管理対象エリアにおける管理対象であるレンタル機材のそれぞれの稼動状況を表す稼動情報と前記レンタル機材のそれぞれに割り当てられた共通情報と前記レンタル機材のそれぞれに対して取付けられたＩＣタグを識別する識別情報とを記憶する稼動情報記憶部と、
前記共通情報と業者がレンタル機材のそれぞれに割り当てた機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、
前記レンタル機材に取付けられたＩＣタグから識別情報を読み出した端末装置から送信される識別情報を受信する受信部と、
前記稼動情報記憶部を参照し、前記受信した識別情報に対応する共通情報を特定し、特定された共通情報に対応する機材情報であって前記端末装置を利用する業者に対応する機材情報を前記機材マスタ情報記憶部から読み出し、当該機材情報とともに、稼動情報を前記端末装置に送信する第１送信部と
を有するレンタル機材管理装置。
【請求項４】
管理対象エリアにおける管理対象であるレンタル機材のそれぞれの稼動状況を表す稼動情報と前記レンタル機材のそれぞれに割り当てられた共通情報とを記憶する稼動情報記憶部と、
前記共通情報と業者がレンタル機材のそれぞれに割り当てた機材情報とを含む機材マスタ情報を記憶する機材マスタ情報記憶部と、
稼動情報の参照要求と機材情報とが入力されると、前記機材マスタ情報記憶部を参照して、前記入力された機材情報に対応する共通情報を読み出し、読み出された共通情報に対応する稼動情報を前記稼動情報記憶部から取得する取得部と、
前記管理対象エリアの外部において貸出可能なレンタル機材と当該レンタル機材が所在するエリアとを含むレンタル機材在庫情報を記憶する在庫情報記憶部と、
第４送信部を有し、
前記取得部は、
前記管理対象エリア外におけるレンタル機材の在庫状況の確認の要求と機材情報とが入力されると、前記機材マスタ情報記憶部を参照して、前記入力された機材情報に対応する共通情報を読み出し、読み出された共通情報に対応する機材情報であって前記レンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得し、
前記第４送信部は、
前記取得したレンタル機材在庫情報を要求元に送信する、
レンタル機材管理装置。
【請求項５】
前記機材マスタ情報記憶部は、前記機材情報を割り当てした業者を識別する業者識別情報を当該機材情報とともに記憶しており、
前記レンタル機材管理装置は、
端末装置から前記参照要求と機材情報とを受信したことに応じて、前記取得部よって取得された稼動情報を、前記参照要求を行なった要求元の機材情報とともに稼動情報を前記端末装置に表示させるように送信する第２送信部
を有する請求項１から請求項４のうちいずれか１項に記載のレンタル機材管理装置。
【請求項６】
前記レンタル機材の管理担当者が利用する管理端末から前記参照要求と識別情報とを受信したことに応じて、前記取得部よって取得された稼動情報を、前記共通情報と稼動情報とを前記管理端末に表示させるように送信する第３送信部
を有する請求項１から請求項５のうちいずれか１項に記載のレンタル機材管理装置。
【請求項７】
前記稼動情報記憶部は、前記レンタル機材のそれぞれに対する貸出料金を記憶しており、
前記レンタル機材管理装置は、
前記業者のいずれかに対してレンタル機材が貸出しされると、当該貸出しされたレンタル機材に対応する前記貸出料金に基づいて、前記貸出し先の業者に対して請求する金額を算出する請求金額算出部
を有する請求項１から請求項６のうちいずれか１項に記載のレンタル機材管理装置。
【請求項８】
前記管理対象エリアの外部において貸出可能なレンタル機材と当該レンタル機材が所在するエリアとを含むレンタル機材在庫情報を記憶する在庫情報記憶部を有し、
前記取得部は、
前記管理対象エリア外におけるレンタル機材の在庫状況の確認の要求と機材情報とが入力されると、前記機材マスタ情報記憶部を参照して、前記入力された機材情報に対応する共通情報を読み出し、読み出された共通情報に対応する機材情報であって前記レンタル機材を管理対象エリア外から管理対象エリア内に貸出しを行なうレンタル業者の機材情報を機材マスタ情報記憶部から読み出し、読み出された機材情報に対応するレンタル機材在庫情報を前記在庫情報記憶部から取得し、
前記レンタル機材管理装置は、
前記取得したレンタル機材在庫情報を要求元に送信する第４送信部と、
を有する請求項１から請求項３、請求項５から請求項７のうちいずれか１項に記載のレンタル機材管理装置。
【請求項９】
前記ＩＣタグは、ＩＣタグの取付け対象であるレンタル機材の製造メーカにおいて当該レンタル機材に予め取付けられる
請求項２または請求項３に記載のレンタル機材管理装置。
【請求項１０】
管理対象エリアにおける管理対象であるレンタル機材のそれぞれの稼動状況を表す稼動情報と前記レンタル機材のそれぞれに割り当てられた共通情報とを記憶する稼動情報記憶部と、前記共通情報と業者がレンタル機材のそれぞれに割り当てた機材情報であって当該業者によって異なる情報である機材情報とを含む機材マスタ情報を記憶する機材マスタ情報記憶部と、を有するレンタル機材管理装置におけるレンタル機材管理方法であって、
取得部が、稼動情報の参照要求と機材情報とが入力されると、前記機材マスタ情報記憶部を参照して、前記入力された機材情報に対応する共通情報を前記参照要求元の業者に対応する機材情報を参照して読み出し、読み出された共通情報に対応する稼動情報を前記稼動情報記憶部から取得する
レンタル機材管理方法。
【請求項１１】
コンピュータを、請求項１から請求項９のうちいずれか１項に記載のレンタル機材管理装置として動作させるためのプログラムであって、前記コンピュータを前記レンタル機材管理装置が備える各部として機能させるためのプログラム。